(57)【特許請求の範囲】
【請求項１】
装置本体のフレーム両端に形成された溝状の支持部に、着脱自在、且つ回転自在に支持されたフィードローラと、該フィードローラに取り付けられる被駆動回転体と、装置本体側に設けられ、被駆動回転体に回転を伝達する駆動回転体とを備え、溝状の支持部はフィードローラの回転軸と直行する方向に開口する開口部を有し、上記装置本体のフレームと係合する切片部を有するベアリングが上記支持部に嵌合することを特徴とする用紙搬送装置。
【請求項２】
上記支持部は、上記駆動回転軸と上記被駆動回転軸とを結ぶ延長線方向の上記被駆動回転軸側に開口するＵ字状溝であり、上記被駆動回転体と上記駆動回転体とが、それぞれギアであることを特徴とする請求項１に記載の用紙搬送装置。
【請求項３】
上記切片部には、上記装置本体のフレームに設けられた孔と係合する突起部が設けられていることを特徴とする請求項１または請求項２に記載の用紙搬送装置。
【発明の詳細な説明】
【０００１】
【発明の属する技術分野】
本発明は、画像形成装置等に配備され、記録媒体である用紙を搬送する用紙搬送装置に関するものである。
【０００２】
【従来の技術】
従来、画像形成装置等には、用紙を印字部等に搬送する用紙搬送装置が配備されている。一般に、そのような用紙搬送装置では、両端部が回転自在に装置本体側の支持部に支持され、装置本体側の駆動源から駆動が与えられるフィードローラが用いられる。このフィードローラには他のローラが接し、フィードローラと他のローラとの間に挟まれて用紙が搬送される。そのフィードローラは、両端が本体側に設けられた孔等の支持部に、ベアリング等を介して支持されていた。
【０００３】
【発明が解決しようとする課題】
しかしながら、上述したような従来の用紙搬送装置では、フィードローラを摩耗等により交換する場合、そのフィードローラは両端が孔等の支持部に支持されているため、フィードローラに付いているベアリング、ギア、プーリ等の部品、さらに、周辺部品までの脱着までもしなければならないとった問題を引き起こしていた。さらに、フィードローラに付いている部品と周辺部品の脱着の手順が複雑になるといった問題も発生していた。そのため、装置のメンテナンス性が低下といったトラブルの大きな要因となっていった。
【０００４】
本発明の目的は、従来のこのような欠点を解決し、用紙を搬送するフィードローラの交換を容易にしてメンテナンス性を向上させることができると共に、フィードローラのユニット交換も可能とすることのできる用紙搬送装置を提供することにある。
【０００５】
【課題を解決するための手段】
上記課題を達成するために、本発明は、装置本体のフレーム両端に形成された溝状の支持部に、着脱自在、且つ回転自在に支持されたフィードローラと、該フィードローラに取り付けられる被駆動回転体と、装置本体側に設けられ、被駆動回転体に回転を伝達する駆動回転体とを備え、溝状の支持部はフィードローラの回転軸と直行する方向に開口する開口部を有し、上記装置本体のフレームと係合する切片部を有するベアリングが上記支持部に嵌合する。また、上記支持部は、上記駆動回転軸と上記被駆動回転軸とを結ぶ延長線方向の上記被駆動回転軸側に開口するＵ字状溝であり、上記被駆動回転体と上記駆動回転体とが、それぞれギアである。さらに、上記切片部には、上記装置本体のフレームに設けられた孔と係合する突起部が設けられている。
【０００６】
【発明の実施の形態】
以下、本発明の実施の形態の用紙搬送装置を図面を参照しつつ説明する。図１は、本発明の実施の形態の用紙搬送装置を示す平面図である。図２は、用紙搬送装置を示す側面図である。
【０００７】
先ず、用紙搬送装置の構成について述べる。図１に示すように、用紙搬送装置は、ユニット化されたフィードローラ５と、フィードローラを押圧する複数のプレスローラ４と、プレスローラ４の押圧作用をする板ばね状の押圧部材３と、押圧部材３が取付けられるフレーム１と、フレーム１の両側に設けられたプレスローラ４を支持する一対のサイドフレーム７とから主に構成されている。
【０００８】
ユニット化されたフィードローラ５とは、５個のローラ５ａが等間隔に取付けられ、一体となって回転する軸５ｓと、軸５ｓの両端部を回転自在とする一対のベアリング６と、軸５ｓの一端に取り付けられ軸５ｓ及びローラ５ａと一体回転するギア８とからなる。尚、５つのローラは取付け位置が異なるだけで材質、形状等は同一である。ベアリング６は、図１および図２に示すように、鍔部６ａの間に鍔部６ａよりも小径の溝部６ｂが設けられている。ベアリング６のフィードローラ５先端側に位置する鍔部６ａには切片部１０が設けられている。切片部１０の先端側には、フィードローラ５長手方向中央側に向かって突起部１０ａが設けられている。
【０００９】
また、一対のサイドフレーム７にはＵ字状溝７ｕが設けられている。Ｕ字状溝７ｕの内壁はその周面方向に沿った凸条７ａが形成されている。ベアリング６は、ベアリング６の溝部６ｂが凸状７ａに係合し、一対のベアリング６が一対のサイドフレーム７のＵ字状溝７ｕに嵌まり込むように取り付けられている。そして、切片部１０の突起部１０ａがフレームサイド部７に設けられた孔７ｂに係合し、ベアリング６の回り止めとなっている。
【００１０】
即ち、フィードローラ５は、ベアリング６を介して、サイドフレーム７に回転自在に支持されている。フィードローラ５の軸５ｓの一端には、ギア８が一体に回転するように取付けられている。
【００１１】
フィードローラ５の５個のローラ５ａの各周面にそれぞれプレスローラ４が押圧されている。押圧は押圧部材３で行われている。５個のプレスローラ４および押圧部材３の部品は同一のものであり、共通化されている。図１、図２に示すように、押圧部材３の一端側にはプレスローラを挟み込むように、曲げ部３ａが設けられている。曲げ部３ａはプレスローラ４の軸４ａを支持し、プレスローラ４は回転自在となっている。上記のように、プレスローラ４と押圧部材３は、ユニット化され、共通化された部品となっている。
【００１２】
押圧部材３の他端側はフレーム１にねじ２によって取付けられている。図１に示すローラ５ａを押圧するプレスローラ４の押圧部材３は、図２にも示されるように、フレーム１の上面に取付けられている。
【００１３】
図２に示されるように、ギア８は駆動ギア９に噛み合って連結されている。ギア８が被駆動回転体、駆動ギア９が駆動回転体となる。ギア８は駆動ギア９の鉛直線上方に配置されるように構成されている。駆動ギヤ９は図示しない駆動源に取り付けられ、駆動回転するようになっている。
【００１４】
次に、用紙搬送装置における用紙の動作について述べる。図示しない給紙手段により、図１、２中右側から用紙Ｐが、フィードローラ５のローラ５ａと、プレスローラ４との間に向かって搬送される。プレスローラ４は、押圧部材３によってフィードローラ５のローラ５ａに押圧力Ｆで押圧されている。駆動ギヤ９が図示しない駆動源の回転により回転し、駆動ギア９の回転がギヤ８に伝達される。ギア８の回転に伴い、フィードローラ５が回転する。フィードローラ５のローラ５ａの回転によりプレスローラ４は従動回転している。そして、用紙Ｐがローラ５ａとプレスローラ４間に挟まれる。ローラ５ａとプレスローラ４間に挟まれた用紙Ｐは、図２に示されるように矢印Ｐａ方向に搬送されていく。
【００１５】
次に、用紙搬送装置のフィードローラの脱着について述べる。上述のように、フィードローラ５は、軸５ｓの両端部を回転自在とする一対のベアリング６と、軸５ｓの一端に取り付けられフィードローラ５と一体回転するギア８とがユニット化されている。そのため、フィードローラ５は、ねじ２を外してプレスローラ４を外し、突起部１０ａを孔７ｂから外すだけで、ユニット化されたフィードローラ５として外すことができる。
【００１６】
さらに、上述のように、ギア８は駆動ギア９の鉛直線上方に配置されている。そのため、周辺部品、例えば駆動ギア９を外すことなく、ユニット化されたフィードローラ５として外すことができる。また、外す手順も簡単なものとなる。
【００１７】
ユニット化されたフィードローラ５を取り付けるときは、ユニット化されたフィードローラ５のベアリング６部を、Ｕ字状溝７ｕの開口部に落し込み、Ｕ字状溝７ｕにベアリング６が支持されれば、後は、切片部１０、プレスローラ４を取付けるだけとなる。従って、周辺部品に関係無く、簡単な手順で取り付けられる。また、Ｕ字状溝７ｕは、ギア８とギア９とを結ぶ延長線方向のギア８側に、開口部があるため、駆動時にギア９がギア８を押し上げたり、引き込むといった応力が発生せず、安定したギア駆動とすることができる。
【００１８】
上述のように、フィードローラ５の脱着、脱着手順が簡易となるので、装置のメンテナンス性が向上する。
【００１９】
尚、上記実施の形態では、フィードローラのローラ部が分割されたものである場合を説明したが、ローラ部が分割されていない、例えば用紙幅の長さのローラ部である場合にも、本発明は同様に適用することができる。
【００２０】
また、上記実施の形態では、板ばね状の押圧部材を使用した場合を説明したが、圧縮スプリング等の弾性部材である場合にも、本発明は同様に適用することができる。
【００２１】
【発明の効果】
上述のように、本発明により、フィードローラを摩耗等により交換するとき、フィードローラに付いているベアリング、ギア、プーリ等の部品、さらに、周辺部品までの脱着までもしなければならないった手間を軽減することができる。さらに、フィードローラに付いている部品と周辺部品の脱着の手順を簡単にすることができる。そのため、装置のメンテナンス性の優れた装置とすることができる。
【００２２】
また、フィードローラおよびベアリング、ギヤをユニット化することができ、特に、フィードローラユニットを落し込むだけで取り付けることができ、メンテナンス性をより向上させることができる。また、被駆動回転体が駆動回転体の鉛直線上方に配置されているため、駆動時に駆動回転体が被駆動回転体を押し上げたり、引き込むといった不要応力を防止することができ、安定した回転体とすることができる。
【００２３】
また、プーリのようにベルトを脱着、調整をする必要が無く、簡易に脱着できるにもかかわらず、駆動力の伝達を確実にすることができる。
【図面の簡単な説明】
【図１】本発明の実施の形態の用紙搬送装置を示す平面図である。
【図２】用紙搬送装置を示す側断面図である。
【符号の説明】
５      フィードローラ
７ｕ    Ｕ字状溝（開口部）
８      ギア（駆動回転体）
９      ギア（被駆動回転体）
Ｐ      用紙
【図１】
0003713909.tif 000002
【図２】
0003713909.tif 000003